(57)【要約】      （修正有）【課題】充分な厚みがあっても圧縮・減容化・高い運搬性を有し、日常生活で使用している寝具を、災害等の緊急時にも使用することを可能にしたクッション材を提供する。【解決手段】クッション材１は長辺と短辺を持つ長方形形状であり、複数個のクッション材のうち少なくとも一つ以上に円形の空隙２とスリット３による穴つなぎ構成４を有している。前記穴つなぎ構成は、円形の空隙を短辺方向に複数個配置し、その下段にも円形の空隙を上段の円形の空隙と互い違いに複数配置し、上下段の円形の空隙同士を繋げる斜め方向のスリットを設けた二段を構成単位としている。前記穴つなぎ構成は、クッション材に単独、あるいは複数個有することを特徴とする。また、スリットの角度が３０度〜８０度である。クッション材はキャリーケースやカバンに入れて持ち運ぶ。使用する際は収納ケースから取り出し複数個のクッション材を並べる。【選択図】図１
2020192293.tif 000002
【特許請求の範囲】
【請求項１】
クッション体を形成するクッション材において、クッション体は複数個のクッション材からなり、前記クッション材は長辺と短辺を持つ長方形形状であり、複数個のクッション材のうち少なくとも一つ以上に円形の空隙とスリットによる穴つなぎ構成を有し、前記穴つなぎ構成は、円形の空隙を短辺方向に複数個配置し、その下段にも円形の空隙を上段の円形の空隙と互い違いに複数配置し、上下段の円形の空隙同士を繋げる斜め方向のスリットを設けた二段を構成単位としており、クッション材に単独、あるいは複数個有することを特徴とする、スリットの角度が３０度〜８０度であるクッション材。
【請求項２】
前記円形の空隙およびスリットは、前記クッション材の表面積のうち３０％〜９０％を占めていることを特徴とする、請求項１に記載のクッション材。
【請求項３】
前記クッション材を複数並べて使用する、請求項１乃至２に記載のクッション体。
【請求項４】
前記クッション材を長辺方向に圧縮しながら収納できることを特徴とした、下蓋と上蓋からなるクッション材の収納ケース。
【発明の詳細な説明】
【技術分野】
【０００１】  本発明は、充分な厚みがあっても圧縮・減容化・高い運搬性を有し、日常生活で使用している寝具を、災害等の緊急時にも使用することを可能にしたクッション材として開発したものであり、主な用途としては避難時に特別配慮を有する者、すなわち要介護者、要配慮者向けに対して、福祉避難所等での使用を考慮した、空隙を有するクッション材に関するものである。
【背景技術】
【０００２】  東日本大震災では、犠牲者の過半数を高齢者が占め、また、障害者の犠牲者の割合についても、被災住民全体のそれと比較して２倍程度に上ったといわれている。特別な配慮が求められる方々にとっては、直接の被害だけでなく、必ずしも生活環境が十分に整備されたとはいえない避難所で、長く生活することを余儀なくされた結果として、健康を害し、復旧・復興に向けての生活再建フェーズの移行に困難を生じているケースも見られる。【０００３】  福祉避難所の対象者として想定されているのは法律上「要配慮者」ということになる。要配慮者とは、「災害において、高齢者、障害者、乳幼児その他の特に配慮を有する者」（災害対策基本法第８条第２高第１５号）と定義されている。福祉避難所の利用対象となる者は、具体的には、高齢者、障害者の他、妊産婦、乳幼児等特別な配慮を必要とする者及びその家族とされている。よって、福祉避難所の事前指定やその準備は、これらの人々を対象として備えておく必要がある。【０００４】  福祉避難所に避難する被災者は、災害による生活環境の変化によって健康被害を受けやすい。睡眠をとるときも、簡易寝具が支給されるが、数量が足らない点、また、普段使い慣れていない寝具であるため、ストレスをより感じやすくなってしまうなどの問題点がある。よって、日常的に使用している寝具を、災害時にも持っていくことができ、なおかつ褥瘡を予防できるような寝具が必要とされている。【０００５】  しかし、普段使用している寝具を持ち運ぶには、労力がいる。特許文献１には、病院等で使用されているボトム延長機能を有するベット装置について記載されている。このマットレスは、多数の十字貫通溝を、所定間隔ごと且つ千鳥状に、すなわち互い違いにずれて並ぶように形成することで、足部周りのマットレスをボトムの収縮に合わせることができる。このようなマットレスは、寝心地もよく、お年寄りや障害者、要配慮者にとって使いやすいが、持ち運ぶのは難しい。また、圧縮によるウレタンセルのつぶれや、へたり性の悪化などが懸念される。【０００６】  そこで、持ち運び可能な、災害用に特化した寝具が発明された。特許文献２には、中に綿や羽毛などを詰めて外を布地で縫いくるんだ板状の蒲団本体によって構成されており、折り畳んでコンパクトな状態で、出荷・保管することができ、使用する際も広げるだけでよい簡易寝具が提案されている。この簡易寝具は軽量化されたため高齢者でも持ち運ぶことが可能である。また、特許文献３には、災害時に避難所で使用するエアマットからなる簡易ベットが提案されている。前記簡易ベットは、使用しないときにはコンパクトに収納できる。
【先行技術文献】
【特許文献】
【０００７】
【特許文献１】特開２００６−１３６６６９号公報
【特許文献２】特開２００２−１７２０５２号公報
【特許文献３】特開２０１４−０００３４７号公報
【発明の概要】
【発明が解決しようとする課題】
【０００８】    しかし、特許文献２の寝具は、寝返りをうつことができない要介護者等が利用した場合、底づきしやすいため局所的に身体の一部に高い圧力がかかり、褥瘡になってしまうおそれがある。また、特許文献３のエアマットは、使用する際に、エア充填部に空気を充填して膨らませなければならず、手間がかかる。また特許文献２および３は、災害時に避難所で使用する目的の発明品であるため、日常時に使っている寝具よりも寝心地性が劣り、ストレスをより感じやすくなってしまう欠点がある。【０００９】  上記の課題に鑑みて、本発明はまず一つ目として、充分な厚みがあっても、圧縮・減容化・高い運搬性を有し、使用する際も手間がかからないクッション材を目的とする。【００１０】  本発明は二つ目として、圧縮から解放してもへたりにくいクッション材を目的とする。【００１１】  本発明は三つ目として、高齢者や要介護者にとって病院のベッド等と同じような寝心地性を有し、褥瘡になりにくいクッション材を目的とする。【００１２】  本発明は四つ目として、日常生活で使用している寝具を、災害等の緊急時にも使用することを可能にし、避難所という閉鎖的で慣れない環境でもよく眠ることができ、ストレスがかかりにくいクッション材を目的とする。
【課題を解決するための手段】
【００１３】  上記目的を達成するべく、本発明の請求項１において、クッション体を形成するクッション材において、クッション体は複数個のクッション材からなり、前記クッション材は長辺と短辺を持つ長方形形状であり、複数個のクッション材のうち少なくとも一つ以上に円形の空隙とスリットによる穴つなぎ構成を有し、前記穴つなぎ構成は、円形の空隙を短辺方向に複数個配置し、その下段にも円形の空隙を上段の円形の空隙と互い違いに複数配置し、上下段の円形の空隙同士を繋げる斜め方向のスリットを設けた二段を構成単位としており、クッション材に単独、あるいは複数個有することを特徴とする、スリットの角度が３０度〜８０度であるクッション材を提案する。【００１４】  また、本発明では、請求項２において、前記円形の空隙およびスリットは前記クッション材の表面積のうち３０％〜９０％を占めていることを特徴とする、空隙を有するクッション材を提案する。【００１５】  また、本発明では、請求項３において、クッション材を複数並べて使用するクッション体を提案する。【００１６】  また、本発明では、請求項４において、クッション材を長辺方向に圧縮しながら収納できる下蓋と上蓋からなるクッション材の収納ケースを提案する。【００１７】
【発明の効果】
【００１８】  本発明によれば、第１に、充分な厚みがあっても、クッション材を収納ケースの下蓋に挿入し、上蓋でクッション材を下方へ押しながら圧縮することで、簡単に減容化できる。また、収納ケースをかばんやキャリーケース、リュックサック等に入れて持ち運ぶことが可能であり、運搬性が非常に高い。更に、使用する際は、収納ケースから取り出すだけなので手間がかからない。持ち運ぶクッション材の個数は調整できるため、状況に応じて好きなように並べて使用できる。
第２に、前記クッション材は空隙への嵌め合いによる圧縮方法により減容化することが可能な形状をしており、ウレタンフォーム自身を強く圧縮する方法を用いないため圧縮から解放してもへたらない特徴を有する。
第３に、クッション材はウレタンフォームからなりエアマットや避難所の簡易寝具よりも厚みがあるため寝心地性がよく、高齢者や要配慮者等の寝返りを打つほどの力がない者にとっても褥瘡のリスクを軽減することができる。
第４に日常時に使用している寝具を災害などの緊急時にも使用可能なクッション材を得ることができる。さらには、日常時に使用しているものを災害時にも使えるため、避難施設というストレスがかかる場所においても、安眠がしやすくなる。
【図面の簡単な説明】
【００１９】
【図１】（ａ）本発明の一実施例として、クッション材の中央を非開口の空隙を有しない余地面として穴つなぎ構成を配列した様子を表す図である。（ｂ）本発明の一実施例として、クッション材全面に渡って穴つなぎ構成を配列した様子を表す図である。
【図２】（ａ）本発明の一実施例として、クッション材６個の長辺方向を上向きに縦に並べて使用する状態を表す図である。（ｂ）クッション材２個の短辺方向を上に設置して使用する状態を表す図である。
【図３】本発明の一実施例を表し、肉抜きがされている図を示す。
【図４】本発明のクッション材を圧縮した様子を示す図である。
【図５】本発明の一実施例において、クッション材を圧縮し、収容する様子を示す図である。
【図６】収納ケースを持ち運ぶ様子を示す図である。
【発明を実施するための形態】
【００２０】  本発明のクッション材の形状としては、長辺と短辺をもつ長方形形状であり、複数個のクッション材のうち少なくとも１つ以上に、円形の空隙を短辺方向に複数個配置し、その下段にも円形の空隙を上段の円形の空隙と互い違いに複数配置し、上下段の円形の空隙同士を繋げる斜め方向のスリットを設けた二段からなる穴つなぎ構成を有する。スリットの間の角度θは３０度〜８０度程度である。前記スリットの間の角度は穴つなぎ構成ごとに変えてもよい。前記円形の空隙は前記クッション材の表面積のうち１０％〜７０％を占める。この割合の算出方法は、円形の空隙の面積と個数をかけて出た値を、クッション材の表面積で割ることにより求められる。前記穴つなぎ構成は前記クッション材にどのように設けてもよく、全面に設けることも、クッション材の長辺方向の両端に上下対称となるように設けてもよい。穴つなぎ構成の入れ方はこれにかかわらず上下非対称になるように設けることも可能である。また円形の空隙の面積は、穴つなぎ構成毎に変えてもよい。図１に、本発明の実施形態の一例として、５つの円形の空隙を４つのスリットで連結した穴つなぎ構成を有するクッション材の図を表す。そのうち図１（ａ）は、クッション材の中央を、非開口の空隙を有しない余地面として、前記穴つなぎ構成を配列した図を表す。図１（ｂ）は、クッション材全面に渡って前記穴つなぎ構成を配列した図を表す。図１（ａ）に示すように、中央部に円形の空隙を設けないことによりできるだけ寝心地性を変えることなく減容化が可能になる。
【００２１】  本発明のクッション材の大きさとしては、図１に示すように短辺長さＷ１が２００ｍｍ〜５００ｍｍ、より好ましくは３００ｍｍ〜４００ｍｍ、長辺長さＷ２が７００ｍｍ〜１２００ｍｍ、より好ましくは９００ｍｍ〜１０００ｍｍ、Ｗ３が厚み３０〜１５０ｍｍ、より好ましくは６０ｍｍ〜１００ｍｍ程度である。
【００２２】  前記円形の空隙は、直径φが２０ｍｍ〜１００ｍｍ、より好ましくは４０ｍｍ〜７０ｍｍの大きさを有している。長辺方向の１列目と２列目の円形の空隙の中心間距離ｒ１は２０ｍｍ〜２５０ｍｍ、より好ましくは５０ｍｍ〜１００ｍｍとする。短辺方向に隣り合う円形の空隙の中心間距離ｒ２は２０ｍｍ〜５００ｍｍ、より好ましくは５０ｍｍ〜３００ｍｍである。ｒ２は、円形の空隙の場所によって異なっていてもよい。空隙長辺方向の端部から円形の空隙間の距離ｄは２０ｍｍ〜１００ｍｍ、より好ましくは３０〜６０ｍｍである。
【００２３】  クッション材をクッション体として使用する一例として図２（ａ）は、平常時にクッション材６個の長辺方向を上向きに並べて使用する例を示す。図２（ｂ）には、緊急時において、クッション材２個の短辺方向を上に設置し、計４個のクッション材をクッション体として使用する例を示す。
【００２４】  図２（ａ）において、クッション材６個を、長辺方向を上向きに並べたクッション体として使用するとき、クッション体の長辺長さＷ４は１２００ｍｍ〜３０００ｍｍ、より好ましくは１８００ｍｍ〜２４００ｍｍ程度である。図２（ｂ）において、計４個のクッション材をクッション体として使用するとき、クッション体の短辺長さＷ５は４００〜１０００ｍｍ、より好ましくは６００ｍｍ〜８００ｍｍ、クッション体の長辺長さＷ６は１４００〜２４００ｍｍ、より好ましくは１８００〜２０００ｍｍ程度である。その使用方法によれば、平常時は広いスペースでゆったりと睡眠をとることができ、災害時には狭い避難所などで、省スペースに利用することが可能になる。また、災害時に持ち運ぶクッション材の数は４個にとどまらず、６個のクッション材を２セット持っていけば合計３人が使用できるため、持ち運ぶ寝具の数が減り、一人あたりの荷物を減らすことができる。
【００２５】  本発明のクッション材は、より圧縮しやすくするために、図３にあるように、肉抜きを入れた形状にしてもよい。肉抜きを入れる箇所は、円形の空隙と連結してしまうのを防ぐために、円形の空隙から離れた箇所に入れるのがよく、肉抜きは複数でもよい。
【００２６】  本発明のクッション材を並べてクッション体として利用する際は、アウターカバーに収納することが望ましい。例えば、３つ折りマットレス用のアウターカバーの一区画にクッション材を２個ずつ入れてクッション体として使用することができる。また、すべてのクッション材を並べて１つのアウターカバーに入れて使用することも十分可能である。
【００２７】  圧縮時のクッション材の形態を図４に示す。クッション材は短辺側から押すと、スリットによって形成された凸部が、円形の空隙からなる凹部に嵌ることで、減容化する仕組みとなっている。クッション材の減容化は手でも可能であるが、均一な力で押さないと、フォームが反発して元に戻ってしまうため持ち運びが難しくなる。そこで下蓋にクッション材を収容し、上蓋で押しながら収容することで、簡単に圧縮が可能となる。その１例として図５に上蓋と下蓋からなる収納ケースおよび、該収納ケースを用いて収納する工程を示す。図５のＳＴＥＰ１には、クッション材を下蓋に収容する様子を示す。図５のＳＴＥＰ２には、上蓋で上から押しながら減容化する様子を示す。図５ＳＴＥＰ３には減容化した後留め具で固定する様子を示す。留め具によって、運搬中に収納ケースからクッション材が飛び出てしまうことを防止している。収納ケースの素材は、プラスチック製のハードな素材であることが好ましい。
【００２８】  収納ケースの下蓋および上蓋の大きさとしては、上蓋の短辺長さｈ１および下蓋の短辺長さｈ２（図５ＳＴＥＰ１参照）が２００〜５５０ｍｍ程度、長辺長さｈ３（図５ＳＴＥＰ２）が３５０〜５５０ｍｍ、上蓋の厚みｈ４および下蓋の厚みｈ５（図５ＳＴＥＰ３）が３０〜２００ｍｍである。ここでｈ１＞ｈ２、また、ｈ４＞ｈ５である。収納ケースには留め具がついており、なお、図５に示す収納ケースの代わりに、留め具がついたものであれば、それを収納ケースとして使用するのも十分可能である。
【００２９】  収納ケース全体の大きさは、前記収納ケース幅（図５ＳＴＥＰ３）は前記上蓋の短辺長さｈ１と等しく、２００〜５５０ｍｍ程度、前記収納ケース高さｈ６（図５ＳＴＥＰ３）が３５０〜５５０ｍｍ、収納ケース厚み（図５ＳＴＥＰ３）は前記上蓋の厚みｈ４と等しく３０ｍｍ〜２００ｍｍを有する。クッション材圧縮後の大きさは収納ケースと同程度であると考えられるので、その圧縮率としてはクッション材の大きさに対して２０％〜７５％となる。より好ましくは５０％〜７０％である。
【００３０】  災害時に前記収納ケースを運搬する手段を図６に示す。図６に表すように、収納ケースは、頑丈な布製のバック、またはリュックサック、あるいはキャリーケースに収容して持ち運ぶことが可能である。
【００３１】  本発明のクッション材は平常時に使用している寝具を災害などの緊急時にも持って行ける仕様となっているが、あらかじめ避難所や病院、福祉施設等の倉庫に備蓄しておいてもよく、災害用に備蓄しておくことも可能である。
【００３２】  本発明のクッション材は、福祉避難所における、要配慮者が使用することを第１の目的としているが、これに限らず、健常者も使用可能である。また用途もマットレスを考慮しているが、これに限らず例えば持ち運び用の枕としても応用可能である。災害時に、枕用の収納ケースを用意し、運搬の際には、ポシェットのようなものに入れて利用するのもよい。例えば機内など長時間移動する際に本発明の形状からなる枕を持ち運ぶといった用途も挙げられる。また、キャンプのように野外で活動する際に、本発明のクッション材をクッション体として使用する例も挙げられる。
【実施例】
【００３３】  以下、具体的な実施例に基づいて本発明を記述するが、本発明はこれらの実施例に制限されるものではなく、前後記の趣旨に適合する範囲で変更を加えて実施することも可能であり、それらはいずれも本発明の技術的範囲に包括される。
【実施例１】
【００３４】  本発明のクッション材として、短辺長さ幅Ｗ１が３２５ｍｍ、長辺長さＷ２が９７０ｍｍ、厚みＷ３が８０ｍｍのウレタンフォームからなるものを使用した。前記クッション材には５つの空隙をスリットで斜めにつないだ穴つなぎ構成を、上下対称に２つずつ配置しており、クッション材の中央を非開口の空隙を有しない余地面とした形状となっている。長辺方向の端部から円形の空隙間の距離は、４０ｍｍであり、円形の空隙の直径は５５ｍｍ、スリットの間の角度θは６０度とした。また、長辺方向の１列目と２列目の円形の空隙の中心間距離ｒ１は８０ｍｍ、短辺方向に隣り合う円形の空隙の中心間距離ｒ２は９２ｍｍとした。（図１（ａ）参照）。
【実施例２】
【００３５】  ５つの空隙をスリットで斜めにつないだ穴つなぎ構成を上下対称に３対ずつ配置しており、クッション材の全面に渡って穴つなぎ構成が配列している点以外は、実施例１と同様である。（図１（ｂ）参照）。【００３６】（比較例１）
分割、および円形の空隙を有していないウレタンフォームを使用した。【００３７】（比較例２）
平常時用の綿ふとんを使用した。【００３８】（比較例３）
エアマットを使用した。【００３９】  前記実施例および比較例についての性能評価結果を表１に示す。
尚、評価の項目方法は以下に示す４段階で評価を行った。
◎：性能が優れている。
○：性能が良好。
△：性能がやや劣る。
×：性能が劣る。【００４０】
【表１】
2020192293.tif 000003
【００４１】（評価の考察）
表１から次のことが確認された。実施例１、及び実施例２の本発明のクッション材は、寝心地性を左右する寝具として十分な厚みを確保しながら、打ち抜き加工によって圧縮可能な形状にしているため、減容が可能である。特に実施例１は円形の空隙が少ない分より寝心地性に優れる。さらには収納ケースにしまったクッション材を、運搬用のケースに入れるため運搬も非常にしやすい。また、クッション材はウレタンフォーム、収納ケースはプラスチック、運搬用ケースもプラスチックおよび布製であるため軽量化されており、運搬性も良好である。比較例１は寝心地は良好であるが、収容性は性能が劣り運搬性は性能がやや劣る。比較例２は寝心地性は性能がやや劣り、収容性は性能がやや比較例３のエアマットは、収容性は性能が優れており、運搬性も良好であるが、寝心地性は劣る。
【産業上の利用可能性】
【００４２】本発明は、日常生活で使用している寝具を、災害等の緊急時にも運搬し使用することを可能にした、クッション材として開発したものであり、主な用途としては、避難時に特別配慮を有する者、すなわち要介護者、要配慮者向けに対して、福祉避難所等での使用を考慮した、クッション材に関するものである。平常時は円形の空隙を有さず、詰め物を入れて用いることも可能である。
【符号の説明】
【００４３】１．  クッション材
２．  円形の空隙
３．  スリット
４．  穴つなぎ構成
５．  クッション体
６．  凸部
７．  凹部
８．  肉抜き
９．  上蓋
１０．下蓋
１１．留め具
１２．収納ケース
１３．キャリーケース
１４．カバン
１５．リュックサック
１６．人
Ｗ１．クッション材の短辺長さ
Ｗ２．クッション材の長辺長さ
Ｗ３．クッション材の厚み
Ｗ４．クッション材６個を並べた際の長辺長さ
Ｗ５．クッション材４個を使用した際の短辺長さ
Ｗ６．クッション材４個を使用した際の長辺長さ
θ．スリットの間の角度
φ．円形の空隙の直径
ｄ．長辺の端部から円形の空隙間の距離
ｒ１．長辺方向の１列目と２列目の円形の空隙の中心間距離
ｒ２．短辺方向に隣り合う円形の空隙の中心間距離
ｈ１．上蓋の幅
ｈ２．下蓋の幅
ｈ３．上（下）蓋高さ
ｈ４．上蓋厚み
ｈ５．下蓋厚み
ｈ６．収納ケース高さ
【図１】
2020192293.tif 000004
【図２】
2020192293.tif 000005
【図３】
2020192293.tif 000006
【図４】
2020192293.tif 000007
【図５】
2020192293.tif 000008
【図６】
2020192293.tif 000009